(57)【要約】      （修正有）【課題】火災感知器の点検操作と火災受信盤の点検操作とを一人の点検操作員が行うことのできる消防設備点検操作支援用装置を提供する。【解決手段】火災受信盤の点検操作部を撮影し、撮影した画像を点検操作員の通信端末へ送信する監視用カメラ８を支持する支持部材１０と、支持部材を火災受信盤に固定する固定部材２０と、点検操作部に対して点検操作を代行するアクチュエータ３０と、支持部材と固定部材とを連結するとともに点検操作部に対する支持部材の位置を決める第１アーム４０と、支持部材とアクチュエータとを連結するとともに点検操作部に対するアクチュエータの位置を決める第２アーム５０とを備え、第１アームおよび第２アームは、角度の調節・固定が可能な関節部を少なくとも２箇所に有し、アクチュエータは、点検操作員による通信端末からの指示に応じて点検操作を点検操作員の代わりに行う。【選択図】図１
0003199005.tif 000002
【実用新案登録請求の範囲】
【請求項１】
火災受信盤を含む消防設備の点検操作員による点検操作を支援する消防設備点検操作支援用装置であって、
前記受信盤に設けられた点検操作部を撮影し、撮影した画像を前記点検操作員が所持する通信端末へ送信する監視用カメラを高さ調節可能に支持する支持部材と、
この支持部材を前記受信盤に取り外し可能に固定する固定部材と、
前記受信盤の前記点検操作部に対して前記点検操作を代行するアクチュエータと、
前記支持部材と前記固定部材とを連結するとともに、前記点検操作部に対する前記支持部材の位置を決める可撓性第１アームと、
前記支持部材と前記アクチュエータとを連結するとともに、前記点検操作部に対する前記アクチュエータの位置を決める可撓性第２アームと
を備えてなり、
前記第１アームは、可撓角度の調節・固定が可能な関節部を少なくとも２箇所に有し、
前記第２アームは、可撓角度の調節・固定が可能な関節部を少なくとも２箇所に有し、
前記アクチュエータは、前記点検操作員による前記通信端末からの指示に応じて作動し、前記点検操作を前記点検操作員の代わりに行う消防設備点検操作支援用装置。
【請求項２】
前記第２アームの前記関節部は、前記支持部材寄りの少なくとも１箇所と前記アクチュエータ寄りの少なくとも２箇所とに設けられている請求項１に記載の装置。
【請求項３】
前記支持部材は、前記支持部材に対する前記カメラの取り付け位置を調整する位置調整部材を介して前記カメラを支持する請求項１または２に記載の装置。
【請求項４】
前記アクチュエータは、前記点検操作部に配置される押しボタンの押圧およびその解除またはスイッチノブの往動および復動の操作を行う請求項１〜３のいずれか１つに記載の装置。
【請求項５】
火災受信盤を含む消防設備の点検操作員による点検操作を支援する消防設備点検操作支援用システムであって、
前記受信盤に対して取り外し可能に設置される点検操作支援用装置と、
前記受信盤に設けられた点検操作部を撮影し、撮影した画像を前記点検操作員が所持する通信端末へ送信する監視用カメラと
を備えてなり、
前記装置は、
前記カメラを高さ調節可能に支持する支持部材と、
この支持部材を前記受信盤に取り外し可能に固定する固定部材と、
前記受信盤の前記点検操作部に対して前記点検操作を代行するアクチュエータと、
前記支持部材と前記固定部材とを連結するとともに、前記点検操作部に対する前記支持部材の位置を決める可撓性第１アームと、
前記支持部材と前記アクチュエータとを連結するとともに、前記点検操作部に対する前記アクチュエータの位置を決める可撓性第２アームと
を備え、
前記第１アームは、可撓角度の調節・固定が可能な関節部を少なくとも２箇所に有し、
前記第２アームは、可撓角度の調節・固定が可能な関節部を少なくとも２箇所に有し、
前記アクチュエータは、前記点検操作員による前記通信端末からの指示に応じて作動し、前記点検操作を前記点検操作員の代わりに行う消防設備点検操作支援用システム。
【考案の詳細な説明】
【技術分野】
【０００１】
この考案は、消防設備点検操作支援用装置および消防設備点検操作支援用システムに関する。この考案はさらに詳しくは、火災感知器や火災受信盤などを含む消防設備における点検操作員による点検操作を支援するための消防設備点検操作支援用装置および消防設備点検操作支援用システムに関する。
【背景技術】
【０００２】
従来、消防設備の一種である自動火災報知設備として、建物内の中央管理室や防災管理センターなどに設置された火災受信盤に内蔵された受信機が、その建物内における火災を監視・警戒すべき複数の所定区域に配置された複数個の火災感知器からの火災信号を受信して、火災の発生を上記区域ごとのランプ点灯やベル鳴動などによって管理者へ自動的に報知する１台の火災受信盤を備えたものが知られている。
【０００３】
このような自動火災報知設備は定期的に点検作業を行う必要がある。そして、その点検作業は一般に、複数個の火災感知器の点検作業と１台の火災受信盤の点検作業とを互いに連携して行うため、少なくとも二人の点検操作員によって行われる。
【先行技術文献】
【特許文献】
【０００４】
【特許文献１】特開２００９−１６２７１５号公報
【考案の概要】
【考案が解決しようとする課題】
【０００５】
上記点検作業が二人の点検操作員によって行われる場合について、説明する。すなわち、一人の点検操作員は、火災感知器が配置されているそれぞれの所定区域において、細長い支持棒とその先端に取り付けられたカップ状ヘッドとからなる加熱試験器を使用して疑似火災を発生させて、それぞれの火災感知器から所定の火災信号が発信されるかどうかの動作試験を行う。
【０００６】
一方、別の一人の点検操作員は、火災受信盤の前で待機し、その火災受信盤に設けられた点検操作部を見ながら、火災受信盤がそれぞれの火災感知器からの火災信号を受信して上記疑似火災の発生区域ごとのランプ点灯やベル鳴動などを正しく行うかどうかの動作確認を行う。また、その動作確認の後には、火災受信盤の点検操作部の復旧操作も行う。
【０００７】
これらの点検操作は、二人の点検操作員が業務用無線機を使用して情報を交換しながら互いに連携して行う必要がある。
【０００８】
この考案は、以上のような事情を考慮してなされたものであって、火災感知器の点検操作と火災受信盤の点検操作とを一人の点検操作員によって行うことのできる消防設備点検操作支援用装置および消防設備点検操作支援用システムを提供することを目的とする。
【課題を解決するための手段】
【０００９】
この考案は１つの観点によれば、火災受信盤を含む消防設備の点検操作員による点検操作を支援する消防設備点検操作支援用装置であって、上記受信盤に設けられた点検操作部を撮影し、撮影した画像を上記点検操作員が所持する通信端末へ送信する監視用カメラを高さ調節可能に支持する支持部材と、この支持部材を上記受信盤に取り外し可能に固定する固定部材と、上記受信盤の上記点検操作部に対して上記点検操作を代行するアクチュエータと、上記支持部材と上記固定部材とを連結するとともに、上記点検操作部に対する上記支持部材の位置を決める可撓性第１アームと、上記支持部材と上記アクチュエータとを連結するとともに、上記点検操作部に対する上記アクチュエータの位置を決める可撓性第２アームとを備えてなり、上記第１アームは、可撓角度の調節・固定が可能な関節部を少なくとも２箇所に有し、上記第２アームは、可撓角度の調節・固定が可能な関節部を少なくとも２箇所に有し、上記アクチュエータは、上記点検操作員による上記通信端末からの指示に応じて作動し、上記点検操作を上記点検操作員の代わりに行う消防設備点検操作支援用装置が提供される。
【００１０】
この考案は別の観点によれば、火災受信盤を含む消防設備における点検操作員による点検操作を支援する消防設備点検操作支援用システムであって、上記受信盤に対して取り外し可能に設置される点検操作支援用装置と、上記受信盤に設けられた点検操作部を撮影し、撮影した画像を上記点検操作員が所持する通信端末へ送信する監視用カメラとを備えてなり、上記装置は、上記カメラを高さ調節可能に支持する支持部材と、この支持部材を上記受信盤に取り外し可能に固定する固定部材と、上記受信盤の上記点検操作部に対して上記点検操作を代行するアクチュエータと、上記支持部材と上記固定部材とを連結するとともに、上記点検操作部に対する上記支持部材の位置を決める可撓性第１アームと、上記支持部材と上記アクチュエータとを連結するとともに、上記点検操作部に対する上記アクチュエータの位置を決める可撓性第２アームとを備え、上記第１アームは、可撓角度の調節・固定が可能な関節部を少なくとも２箇所に有し、上記第２アームは、可撓角度の調節・固定が可能な関節部を少なくとも２箇所に有し、上記アクチュエータは、上記点検操作員による上記通信端末からの指示に応じて作動し、上記点検操作を上記点検操作員の代わりに行う消防設備点検操作支援用システムが提供される。
【考案の効果】
【００１１】
この考案の上記１つの観点による消防設備点検操作支援用装置は、上記のように構成されているので、２つの可撓性アームにより、点検操作部に対する支持部材およびアクチュエータの位置をそれぞれ細かく調節することができる。また、アクチュエータは、撮影された点検操作部の画像をカメラが点検操作部から離れた別の箇所にいる一人の点検操作員の所持する通信端末へ送信した後に、その点検操作員による通信端末からの指示に応じて作動し、点検操作部における必要な点検操作をその点検操作員の代わりに確実に行うことができる。従って、この消防設備点検操作支援用装置によれば、火災感知器の点検操作と火災受信盤の点検操作とを一人の点検操作員によって行うことが可能になる。
【００１２】
この考案の上記別の観点による消防設備点検操作支援用システムは、上記のように構成されているので、消防設備点検操作支援用装置における２つの可撓性アームにより、点検操作部に対する支持部材およびアクチュエータの位置をそれぞれ細かく調節することができる。また、同装置におけるアクチュエータは、撮影された点検操作部の画像をカメラが点検操作部から離れた別の箇所にいる一人の点検操作員の所持する通信端末へ送信した後に、その点検操作員による通信端末からの指示に応じて作動し、点検操作部における必要な点検操作をその点検操作員の代わりに確実に行うことができる。従って、この消防設備点検操作支援用システムによれば、火災感知器の点検操作と火災受信盤の点検操作とを一人の点検操作員によって行うことが可能になる。
【図面の簡単な説明】
【００１３】
【図１】この考案による消防設備点検操作支援用装置の実施の形態１に係る自動火災報知設備の点検操作支援用装置の全体を背面左側方から見た全体斜視図である。
【図２】図１の点検操作支援用装置の使用時における主要部分を背面右上方から見た部分拡大斜視図である。
【図３】図１の点検操作支援用装置の一部分を正面上方から見た部分拡大斜視図である。
【図４】この考案による消防設備点検操作支援用装置の実施の形態２に係る自動火災報知設備の点検操作支援用装置の一部分を背面上方から見た部分拡大斜視図である。
【図５】この考案による消防設備点検操作支援用装置の実施の形態３に係る自動火災報知設備の点検操作支援用装置の一部分を背面上方から見た部分拡大斜視図である。
【考案を実施するための形態】
【００１４】
以下、図面を用いてこの考案をさらに詳述する。なお、以下の説明は、すべての点で例示であって、この考案を限定するものと解されるべきではない。
【００１５】
（実施の形態１）
図１および図２において、この考案の実施の形態１に係る自動火災報知設備の点検操作支援用装置Ｄ１は、建物内の中央管理室や防災管理センターなどに設置されて火災感知器や火災受信盤１などを含む消防設備における点検操作員による点検操作を支援するものである。
【００１６】
火災受信盤１は縦長の薄い箱型のものであり、その表面は薄い鋼板からなっている。この受信盤１には、消防設備について各種の点検を行うための点検操作部２が設けられている。点検操作部２には、火災感知器からの所定の信号を受信する受信機３、受信機３が受信した信号を受けて火災地区を点灯させるランプ４、主音響を鳴動させる主音響装置としてのメインブザー５、各種の点検操作を行うために押圧する操作用押しボタン６の他に、点灯したランプ４、鳴動したメインブザー５、あるいは押圧した押しボタン６を解除して元の監視状態に戻すための復旧用押しボタン７などが装備されている。
【００１７】
この装置Ｄ１は、支持部材１０と、左右一対の固定部材２０・２０と、１つのアクチュエータ３０と、２本の可撓性第１アーム４０・４０と、１本の可撓性第２アーム５０とを備えてなる。
【００１８】
支持部材１０は、火災受信盤１に設けられた点検操作部２を撮影し、撮影した画像を点検操作員が所持する通信端末としてのスマートフォン（図示略）へ送信する監視用カメラ８を高さ調節可能に支持する部材である。
【００１９】
ここで、カメラ８はこの装置Ｄ１の必須構成要素ではない。このカメラ８としては、火災受信盤１の点検操作部２を撮影しその撮影画像を点検操作員が所持するスマートフォンへ送信する機能を有しているものであれば、その種類、大きさ、性能などにかかわりなく採用することができる。
【００２０】
支持部材１０は、カメラ８を支持する本体部１１と、本体部１１を高さ調節可能に支持する脚部１２とを備えてなる。本体部１１は平面形状が十字状の金属板である。脚部１２は、本体部１１を取り付けるための雲台部分１２ａと、雲台部分１２ａの下側に取り付けられた伸縮可能な３段式一脚部分１２ｂと、一脚部分１２ｂの下端に取り付けられた三又状基台部分１２ｃとからなる。本体部１１には、カメラ８の前後方向、左右方向、および／または上下方向の取り付け位置を調整するための位置調整部材１３が設けられている。
【００２１】
一脚部分１２ｂは、各段の下端に設けられたロック部材１２ｄ・１２ｄ・１２ｄを操作することによって、所望の高さに調節することができる。本体部１１と脚部１２とは、本体部１１の下面に設けられた雌ねじ穴に脚部１２の雲台部分１２ａの上端に設けられた雄ねじをねじ合せることで、一体化することができる。
【００２２】
左右一対の固定部材２０・２０は、支持部材１０を受信盤１に取り外し可能に固定するものであり、プラスチック製の薄い円形ディスク２１・２１と、ディスク２１・２１の受信盤１側の表面に張り付けられた円形マグネット板２２・２２とからなっている。固定部材２０・２０は、マグネット板２２・２２の磁力によって、受信盤１の前面における左側方部および右側方部に取り付けられる。
【００２３】
図１〜図３に示すように、アクチュエータ３０は、受信盤１の点検操作部２に対して所定の点検操作を点検操作員に代わって行うための部材である。アクチュエータ３０は、直方体状の筐体３１と、筐体３１の内部に前後移動可能に収容され、かつ、筐体３１の前面に対して出没可能となるように設けられた作動用ロッド３２と、ロッド３２の前端に設けられた円筒状操作体３３とからなっている。
【００２４】
ロッド３２は、点検操作員が所持するスマートフォンからの指示信号を受けて操作体３３を前方へ移動させることで、操作体３３を受信盤１の点検操作部２の押しボタン６あるいは押しボタン７に押圧させる。ロッド３２は一方において、同スマートフォンからの指示信号を受けて操作体３３を後方へ移動させることで、操作体３３による押しボタン６あるいは押しボタン７への押圧を解除する。
【００２５】
図１および図２に示すように、第１アーム４０・４０は、支持部材１０と固定部材２０とを連結するとともに、点検操作部２に対する支持部材１０の位置を決める可撓性部材である。すなわち、それぞれの第１アーム４０は、前後２本の丸棒状腕部４１・４２、後方腕部４１と支持部材１０の本体部１１とを関節状に連結する後方関節部４３、後方腕部４１と前方腕部４２とを関節状に連結する中間関節部４４、および前方腕部４２と固定部材２０とを関節状に連結する前方関節部４５とを備えてなり、全体として可撓性を有している。
【００２６】
第１アーム４０の後方関節部４３は、支持部材１０の本体部１１寄り箇所に、ねじ合せ・ねじ外し可能な２つの半体を有しており、これらの半体のねじ外しによって後方関節部４３の一部分を緩めて所望の可撓角度にし、次いでこれらの半体のねじ合せによってその所望角度を固定することができる。第１アーム４０の中間関節部４４は、ねじ固定・ねじ緩め可能な把手を備えたものであり、把手によって関節ねじを緩めることで所望の可撓角度にし、次いで把手によってねじを固定することでその所望角度を固定することができる。第１アーム４０の前方関節部４５は、前方腕部４２と固定部材２０とを所望角度に位置決めして、その位置を維持することのできる凹凸嵌合構造にされている。
【００２７】
図１〜図３に示すように、第２アーム５０は、支持部材１０とアクチュエータ３０とを連結するとともに、点検操作部２に対するアクチュエータ３０の位置を決める可撓性部材である。すなわち、第２アーム５０は、前後２本の丸棒状腕部５１・５２、後方腕部５１と支持部材１０の本体部１１とを関節状に連結する後方関節部５３、後方腕部５１と前方腕部５２とを関節状に連結する中間関節部５４、前方腕部５２とアクチュエータ３０とを前方腕部５２寄り箇所で関節状に連結する前方第１関節部５５、および前方腕部５２とアクチュエータ３０とをアクチュエータ３０寄り箇所で関節状に連結する前方第２関節部５６を備えてなり、全体として可撓性を有している。
【００２８】
第２アーム５０の後方関節部５３は、後方腕部５１と支持部材１０の本体部１１とを所望角度に位置決めして、その位置を維持することのできる凹凸嵌合構造にされている。第２アーム５０の中間関節部５４は、ねじ固定・ねじ緩め可能な把手を備えたものであり、把手によって関節ねじを緩めることで所望の可撓角度にし、次いで把手によってねじを固定することでその所望角度を固定することができる。
【００２９】
第２アーム５０の前方第１関節部５５は、前方腕部５２寄り箇所、すなわちアクチュエータ３０からより遠い箇所に設けられており、アクチュエータ３０の位置を粗調整するために使用されるものである。また、第２アーム５０の前方第２関節部５６は、アクチュエータ３０寄り箇所、すなわちアクチュエータ３０により近い箇所に設けられており、アクチュエータ３０の位置を微調整するために使用されるものである。
【００３０】
上記のように構成されたこの考案の実施の形態１に係る自動火災報知設備の点検操作支援用装置Ｄ１について、以下、その実際の使用状況を説明する。
【００３１】
初めに、一人の点検操作員が、建物内の中央管理室や防災管理センターなどに設置された火災受信盤１に、装置Ｄ１の支持部材１０および固定部材２０を使用して、装置Ｄ１を最適な高さおよび最適な位置で固定する。そして、監視用カメラ８を、支持部材１０の本体部１１における位置調整部材１３を介して、支持部材１０の本体部１１に取り付ける。次いで、この点検操作員は、装置Ｄ１のアクチュエータ３０を、その操作体３３が受信盤１の点検操作部２における復旧用押しボタン７に所定間隔を置いて対向するように、位置決めする。このときのアクチュエータ３０の位置の粗調整および微調整は、上記のように、前方第１関節部５５および前方第２関節部５６を利用して行うことができる。
【００３２】
この点検操作員は、装置Ｄ１の受信盤１への固定、位置調整が終わると、カメラ８の電源を入れて、カメラ８による点検操作部２の撮影と、撮影した画像の上記スマートフォンへの送信とを開始させる。
【００３３】
その後、この点検操作員は、受信盤１を離れて、火災を監視・警戒すべき複数の所定区域に配置された複数個（第１〜第Ｎ）の火災感知器のそれぞれの箇所に順次移動する。そして、それぞれの火災感知器について、加熱試験器を使用して疑似火災を発生させ、それぞれの火災感知器から所定の火災信号が発信されるかどうかの動作試験を行う。
【００３４】
ここで、加熱試験器は、細長い支持棒とその先端に取り付けられたカップ状ヘッドとからなるものである。その支持棒は、上記所定箇所の天井などに設置された火災感知器を下方から覆うようにヘッドを位置させるためのものである。そのヘッドは、内部に熱発生部が備わっており、熱発生部を利用して所定温度の熱を発生させ、疑似火災を発生させることができる。
【００３５】
この点検操作員はまず、第１火災感知器の下方に位置し、加熱試験器を使用してそのヘッドで火災感知器を下方から覆った後、熱発生部によって疑似火災を発生させて、その第１火災感知器から所定の火災信号が発信されるかどうかの動作試験を行う。このとき、装置Ｄ１に取り付けられた監視用カメラ８による点検操作部２の撮影画像が点検操作員の所持するスマートフォンへすでに送信されている。従って、点検操作員は、スマートフォンでその撮影画像を目視して、第１火災感知器から所定の火災信号が発信されて点検操作部２における対応する第１ランプ４が正常に点灯していることの確認を行う。
【００３６】
この点検操作員は、次いで、第２火災感知器の下方へ移動し、上記と同様に、加熱試験器の使用、スマートフォンによる上記撮影画像の目視により、第２火災感知器に対応する第１ランプ４が点灯していることの確認を行う。その後、点検操作員は同様に、第３〜第Ｎの火災感知器の下方へ移動し、同様の確認を行う。
【００３７】
すべての火災感知器の動作試験を行った結果、異常を発見しなかった点検操作員は、スマートフォンからアクチュエータ３０へ指示信号を送信して、アクチュエータ３０の操作体３３を前方へ移動させる。その結果、操作体３３の前方移動によって復旧用押しボタン７が押し込まれて、点検操作部２は元の監視状態に戻る。以上のように、この装置Ｄ１を使用すれば、火災感知器の点検操作と火災受信盤１の点検操作とを一人の点検操作員によって行うことが可能になる。
【００３８】
なお、監視用カメラ８による点検操作部２の撮影画像を目視した結果、第１〜第Ｎの火災感知器のいずれかの動作に異常があった場合には、点検操作員は、受信盤１へ移動して、その後の所定の点検操作、修理、復旧などの処理を行う。
【００３９】
（実施の形態２）
図４において、この考案の実施の形態２に係る自動火災報知設備の点検操作支援用装置Ｄ２は、建物内の中央管理室や防災管理センターなどに設置されて火災感知器や火災受信盤１００などを含む消防設備における点検操作員による点検操作を支援するものである。
【００４０】
火災受信盤１００は縦長の薄い箱型のものである。受信盤１００には、消防設備について各種の点検を行うための点検操作部２００が設けられている。点検操作部２００には、火災感知器からの所定の信号を受信する受信機３００、受信機３００が受信した信号を受けて火災地区を点灯／点灯解除させる点灯／点灯解除用スイッチノブ２０１・２０１、主音響を鳴動／鳴動解除させるメインブザー鳴動／鳴動解除用スイッチノブ２０２・２０２、元の監視状態に戻すための復旧用スイッチノブ２０３・２０３などが装備されている。
【００４１】
この装置Ｄ２は、実施の形態１の上記装置Ｄ１と同様な支持部材、左右一対の固定部材、２本の可撓性第１アーム、１本の可撓性第２アーム５０の他に、１つのアクチュエータ４００を備えてなる。
【００４２】
アクチュエータ４００は、上記装置Ｄ１のアクチュエータ３０に代わるものであり、受信盤１００の点検操作部２００に対して所定の点検操作を点検操作員に代わって行うための部材である。アクチュエータ４００は、直方体状の筐体４０１と、筐体４０１の内部に前後移動可能に収容され、かつ、筐体４０１の上面に対して出没可能となるように設けられた作動用ロッド４０２と、作動用ロッド４０２の上端に設けられた円筒状連結体４０３と、連結体４０３に接続部材４０４を介して連結状に取り付けられた操作体４０５とからなっている。
【００４３】
接続部材４０４は、Ｌ字板状継手４０４ａと、継手４０４ａに、ロッド４０２に対して直角をなすように取り付けられた接続用ロッド４０４ｂとを備えてなる。操作体４０５は、接続用ロッド４０４ｂの先端に取り付けられたＵ字板状支持部４０５ａと、支持部４０５ａの内側に所定間隔を置いて対向状に取り付けられた一対の操作部４０５ｂ・４０５ｂとを備えてなる。
【００４４】
操作体４０５は、受信盤１００の点検操作部２００に装備された各種のスイッチノブ２０１・２０２・２０３に対してその往動および復動の操作を行うためのものである。従って、操作体４０５の操作部４０５ｂ・４０５ｂどうしの間隔は、スイッチノブ２０１・２０２・２０３の突出部を覆った状態でスイッチノブ２０１・２０２・２０３を操作することができる寸法にされている。
【００４５】
この装置Ｄ２における他の部分の構成は、上記装置Ｄ１と同一である。
【００４６】
この装置Ｄ２は、上記のように構成されているので、この装置Ｄ２を使用すれば、上記装置Ｄ１と同様に、火災感知器の点検操作と火災受信盤１００の点検操作とを一人の点検操作員によって行うことが可能になる。
【００４７】
（実施の形態３）
図５において、この考案の実施の形態３に係る自動火災報知設備の点検操作支援用装置Ｄ３は、建物内の中央管理室や防災管理センターなどに設置されて火災感知器や火災受信盤などを含む消防設備における点検操作員による点検操作を支援するものである。
【００４８】
この装置Ｄ３は、実施の形態１の上記装置Ｄ１と同様な支持部材１０、左右一対の固定部材、２本の可撓性第１アーム４０・４０の他に、左右２本の可撓性第２アーム５０・５０、および左右２つのアクチュエータ３０・４００を備えてなる。
【００４９】
２本の第２アーム５０・５０のそれぞれの構成は、装置Ｄ１の第２アーム５０と同一である。また、２つのアクチュエータ３０・４００のうちの右側の構成は、装置Ｄ１のアクチュエータ３０と同一であり、左側の構成は、実施の形態２の上記装置Ｄ２のアクチュエータ４００と同一である。
【００５０】
この装置Ｄ３における他の部分の構成は、上記装置Ｄ１と同一である。
【００５１】
この装置Ｄ３は、上記のように構成されているので、この装置Ｄ３を使用すれば、上記装置Ｄ１および上記装置２と同様に、火災感知器の点検操作と火災受信盤の点検操作とを一人の点検操作員によって行うことが可能になる。
【００５２】
この考案は以上に述べたようなものである。
（i）この考案による消防設備点検操作支援用装置は、火災受信盤を含む消防設備の点検操作員による点検操作を支援する消防設備点検操作支援用装置であって、上記受信盤に設けられた点検操作部を撮影し、撮影した画像を上記点検操作員が所持する通信端末へ送信する監視用カメラを高さ調節可能に支持する支持部材と、この支持部材を上記受信盤に取り外し可能に固定する固定部材と、上記受信盤の上記点検操作部に対して上記点検操作を代行するアクチュエータと、上記支持部材と上記固定部材とを連結するとともに、上記点検操作部に対する上記支持部材の位置を決める可撓性第１アームと、上記支持部材と上記アクチュエータとを連結するとともに、上記点検操作部に対する上記アクチュエータの位置を決める可撓性第２アームとを備えてなり、上記第１アームは、可撓角度の調節・固定が可能な関節部を少なくとも２箇所に有し、上記第２アームは、可撓角度の調節・固定が可能な関節部を少なくとも２箇所に有し、上記アクチュエータは、上記点検操作員による上記通信端末からの指示に応じて作動し、上記点検操作を上記点検操作員の代わりに行う、ことを特徴とする。
【００５３】
この考案による消防設備点検操作支援用装置において、火災感知器は、建物内の所定区域、つまり火災を監視・警戒すべき部屋や廊下の天井などの所定区域に設置され、火災の熱、煙、炎を感知して、報知信号を火災受信盤に内蔵された受信機へ発信するものである。
【００５４】
火災感知器の具体的な態様は、例えば、熱感知器、煙感知器、炎感知器などがある。熱感知器としては、一定の温度以上になると作動する定温式感知器、短時間に温度が変化した場合に作動する差動式感知器などが使用される。煙感知器としては、光の乱反射を利用して煙を感知する光電式感知器、放射性物質の電離作用を利用して煙を感知するイオン化式感知器などが使用される。煙感知器は、防火シャッター、防火扉、防火ダンパーなどと連動して使用される場合もある。炎感知器としては、炎から放射される特定波長の紫外線を感知する紫外線式感知器、炎から放射される特定波長の赤外線を感知する赤外線式感知器などが使用される。
【００５５】
この考案による上記装置において、消防設備とは、建物内の所定区域に設置され、火災を感知し、消しまたは火災の発生あるいは延焼を防ぐための火災感知器、屋内消火栓、防火シャッター、防火扉、防火ダンパーなどの設備をいう。
【００５６】
この考案による上記装置において、火災受信盤は、建物内の中央管理室や防災管理センターなどに設置されて、火災感知器その他の消防設備を制御するものである。火災受信盤には一般に、火災感知器からの所定の信号を受信する受信機や、受信機が受信した信号を受けて火災地区を点灯させるランプや主音響を鳴動させる主音響装置（ブザー）などが装備されている。
【００５７】
この考案が対象にする消防設備には、上記の火災感知器および火災受信盤の他に、人間が火災を発見した場合に手動で火災信号を発信する発信機、建物内の所定箇所である各地区に配置され、受信機が受信した火災信号を受けて鳴動する地区音響装置（ベル）、屋内消火栓や発信機などの設置位置を示すために常時点灯する表示灯などが含まれる。
【００５８】
この考案による上記装置において、火災受信盤には、この火災受信盤が含まれる消防設備における点検操作を行うための点検操作部が設けられている。この点検操作部は、建物の種類や大きさ、消防設備の規模や機能などに応じて各種のものを採用することができる。一般には、火災信号を受けて火災地区を点灯表示した受信機を元の監視状態に復旧させる復旧用ボタン／スイッチと、鳴動した主音響・地区音響を解除する解除用ボタン／スイッチなどが備わっている。
【００５９】
この考案による上記装置において、支持部材は、監視用カメラを高さ調節可能に支持するものである。点検操作員は、この考案による上記装置を使用するために、携帯電話、スマートフォン、タブレットなどの通信端末を所持している。ここで、監視用カメラはこの考案による上記装置の必須構成要素ではない。このカメラとしては、火災受信盤に設けられた点検操作部を撮影しその撮影画像を点検操作員が所持する通信端末へ送信する機能を有しているものが、上記装置を作動させるために使用される。
【００６０】
ここで、支持部材は、上記カメラを支持する本体部と、この本体部を高さ調節可能に支持する脚部とを備えているものが好ましい。この場合、脚部は、伸縮可能あるいは展開・折り畳み可能なものとして設けられ、その伸縮あるいは展開・折り畳みによって、カメラを支持する本体部を高さ調節可能に支持することができる。
【００６１】
この考案による上記装置において、固定部材は、支持部材を火災受信盤に取り外し可能に固定するものである。この固定部材としては例えば、磁力、吸着力、粘着力、および／または挟持力の作用で火災受信盤の前面あるいは側面に取り外し可能に取り付けたり挟み留めたりすることのできるディスク状、プレート状あるいはクリップ状のものなどが好ましく使用される。
【００６２】
この考案による上記装置において、アクチュエータは、火災受信盤から離れた箇所にいる点検操作員が所持する上記通信端末からの指示に応じて作動し、火災受信盤の上記点検操作部に対して上記点検操作を点検操作員に代わって行うための部材である。
【００６３】
この考案による上記装置において、第１アームは、支持部材と固定部材とを連結するとともに、上記点検操作部に対する支持部材の位置を決める可撓性部材である。第１アームは例えば、複数の腕部とこれらの腕部どうしを関節状に連結する複数の関節部とを備えてなり、全体として可撓性を有している。第１アームの関節部は、腕部どうしの間における可撓角度の調節・固定が可能なものであり、例えば、支持部材寄りの少なくとも１箇所と固定部材寄りの少なくとも１箇所とに設けられる。
【００６４】
この考案による上記装置において、第２アームは、支持部材とアクチュエータとを連結するとともに、上記点検操作部に対するアクチュエータの位置を決める可撓性部材である。第２アームは例えば、複数の腕部とこれらの腕部どうしを関節状に連結する複数の関節部とを備えてなり、全体として可撓性を有している。第２アームの関節部は、腕部どうしの間における可撓角度の調節・固定が可能なものであり、例えば、支持部材寄りの少なくとも１箇所とアクチュエータ寄りの少なくとも１箇所とに設けられる。
【００６５】
ここで、第２アームの関節部は好ましくは、支持部材寄りの少なくとも１箇所とアクチュエータ寄りの少なくとも２箇所とに設けられる。この場合、アクチュエータ寄りの少なくとも２箇所に設けられる関節部は、アクチュエータからより遠い箇所に設けられるものがアクチュエータの位置を粗調整するために使用され、アクチュエータにより近い箇所に設けられるものがアクチュエータの位置を微調整するために使用される。
【００６６】
上記支持部材は、これに対するカメラの取り付け位置を調整する位置調整部材を介してカメラを支持するものであるのがさらに好ましい。この場合、位置調整部材は、カメラの前後方向、左右方向、および／または上下方向の取り付け位置を調整することのできるものが使用される。このような位置調整部材によって、上記受信盤の種類、大きさなどに応じてカメラの取り付け位置をより細かく調整することができる。
【００６７】
上記アクチュエータは例えば、火災受信盤の点検操作部に配置される押しボタンの押圧およびその解除またはスイッチノブの往動および復動の操作を行うものが好ましく使用される。この場合、火災受信盤の点検操作部に配置されるボタン／スイッチノブの種類や大きさなどに応じて、点検操作員が上記アクチュエータを作動させることで、ボタン／スイッチノブの切り換え操作を適切に行うことができる。
【００６８】
（ii）この考案による消防設備点検操作支援用システムは、火災受信盤を含む消防設備の点検操作員による点検操作を支援する消防設備点検操作支援用システムであって、上記受信盤に対して取り外し可能に設置される点検操作支援用装置と、上記受信盤に設けられた点検操作部を撮影し、撮影した画像を上記点検操作員が所持する通信端末へ送信する監視用カメラとを備えてなり、上記装置は、上記カメラを高さ調節可能に支持する支持部材と、この支持部材を上記受信盤に取り外し可能に固定する固定部材と、上記受信盤の上記点検操作部に対して上記点検操作を代行するアクチュエータと、上記支持部材と上記固定部材とを連結するとともに、上記点検操作部に対する上記支持部材の位置を決める可撓性第１アームと、上記支持部材と上記アクチュエータとを連結するとともに、上記点検操作部に対する上記アクチュエータの位置を決める可撓性第２アームとを備え、上記第１アームは、可撓角度の調節・固定が可能な関節部を少なくとも２箇所に有し、上記第２アームは、可撓角度の調節・固定が可能な関節部を少なくとも２箇所に有し、上記アクチュエータは、上記点検操作員による上記通信端末からの指示に応じて作動し、上記点検操作を上記点検操作員の代わりに行う、ことを特徴とする。
【００６９】
この考案による消防設備点検操作支援用システムにおいて、火災受信盤に対して取り外し可能に設置される点検操作支援用装置は、この考案による上記の消防設備点検操作支援用装置と同一のものである。また、監視用カメラはこの考案によるシステムにおける必須構成要素である。このカメラとしては、火災受信盤に設けられた点検操作部を撮影しその撮影画像を点検操作員が所持する通信端末へ送信する機能を有しているものが使用される。
【００７０】
この考案の好ましい態様には、上述した複数の態様をいくつか組み合わせたものも含まれる。上述した実施の形態の他にも、この考案について種々の変形例があり得る。それらの変形例もこの考案の範囲に属すると解すべきである。この考案には、実用新案登録請求の範囲と均等の意味および上記範囲内でのすべての変形とが含まれるべきである。
【符号の説明】
【００７１】
１：火災受信盤
２：点検操作部
６：押しボタン
７：押しボタン
８：カメラ
１０：支持部材
１３：位置調整部材
２０：固定部材
３０：アクチュエータ
４０：第１アーム
４３：関節部
４４：関節部
４５：関節部
５０：第２アーム
５３：関節部
５４：関節部
５５：関節部
５６：関節部
１００：火災受信盤
２００：点検操作部
２０１：スイッチノブ
２０２：スイッチノブ
２０３：スイッチノブ
４００：アクチュエータ
【図１】
0003199005.tif 000003
【図２】
0003199005.tif 000004
【図３】
0003199005.tif 000005
【図４】
0003199005.tif 000006
【図５】
0003199005.tif 000007